(57)【要約】【課題】イオン発生装置の交換時の安全性を向上できるイオン送出装置を提供する。【解決手段】天井壁Ａ内に取り付けられる本体部１０と、本体部１０を覆って吸込口３及び吹出口４が開口する前面パネル２と、吸込口３を吹出口４とを連通させる送風通路１２と、送風通路１２内に配される送風ファン１１と、イオンを発生する電極部２５、２６を正面に配したイオン発生装置２０と、送風通路１２に電極部２５、２６を面してイオン発生装置２０を着脱自在に保持する保持部１３とを備え、保持部１３がイオン発生装置２０の背面を支持する背面部１３ａと、背面部１３ａに沿って挿入されるイオン発生装置２０の正面に摺動して弾性変形するとともにイオン発生装置２０の下面に係合する係合爪１３ｂとを有し、イオン発生装置２０の脱着時に係合爪１３ｂがイオン発生装置２０の下面よりも浅い係合深さで係合する溝部２１ｆをイオン発生装置２０の正面に設けた。【選択図】図３
2011019547.tif 000002
【特許請求の範囲】
【請求項１】
居室内の天井壁内に取り付けられる本体部と、前記本体部の下面を覆って吸込口及び吹出口が開口する前面パネルと、前記本体部内に設けられて前記吸込口を前記吹出口とを連通させる送風通路と、前記送風通路内に配される送風ファンと、イオンを発生する電極を有した電極部を正面に配したイオン発生装置と、前記送風通路に前記電極部を面して前記イオン発生装置を着脱自在に保持する保持部とを備え、前記送風ファンの駆動により前記吸込口から前記送風通路に流入した居室内の空気に前記電極部で発生したイオンを混合して前記吹出口から送出するイオン送出装置において、
前記保持部が、前記イオン発生装置の背面を支持する背面部と、前記背面部に沿って挿入される前記イオン発生装置の正面に摺動して挿入方向に垂直な方向に弾性変形するとともに前記イオン発生装置の下面に係合する係合爪とを有し、前記イオン発生装置の脱着時に前記係合爪が前記イオン発生装置の下面よりも浅い係合深さで係合する溝部を前記イオン発生装置の正面に設けたことを特徴とするイオン送出装置。
【請求項２】
前記イオン発生装置は、前記電極部を露出して前記電極部に導通する端子が設けられるイオン発生素子と、前記イオン発生素子を覆うとともに前記電極部に対向する孔部を開口するカバーと、前記端子にリード線を介して接続して前記カバーに保持されるとともに前記イオン発生装置を前記保持部に装着した際に前記本体部に設けた電力供給用の端子部に差し込まれるコネクタとを有し、前記コネクタを前記カバーに遊着したことを特徴とする請求項１に記載のイオン送出装置。
【請求項３】
前記電極部が針状の放電電極と前記放電電極の周囲に配される環状の誘導電極とを有し、前記孔部の周縁が前記誘導電極よりも内側に配されることを特徴とする請求項２に記載のイオン送出装置。
【請求項４】
前記イオン発生装置が挿入方向に延びる案内溝を背面に有するとともに、前記保持部が前記案内溝に嵌合して前記イオン発生装置を案内する案内突起部を有することを特徴とする請求項１〜請求項３のいずれかに記載のイオン送出装置。
【請求項５】
前記本体部内を仕切るとともに弾性変形するクリップにより前記本体部に係着されるグリルを備え、前記前面パネルが前記吸込口を中央部に開口して前記吸込口の周囲に前記吹出口を有するとともに、前記送風通路を分岐する複数の分岐通路を前記グリルによって前記本体部の周部に形成し、前記クリップは前記分岐通路間の対向する二箇所に設けられて前記前面パネル側の端部が近づく方向に傾倒することにより前記本体部との係合を解除されることを特徴とする請求項１〜請求項４のいずれかに記載のイオン送出装置。
【請求項６】
前記電極部がプラスイオンを発生するプラスイオン部とマイナスイオンを発生するマイナスイオン部とを離隔して有し、前記プラスイオン部と前記マイナスイオン部とを異なる前記分岐通路に面して配置したことを特徴とする請求項５に記載のイオン送出装置。
【発明の詳細な説明】
【技術分野】
【０００１】
本発明は、居室内にイオンを送出するイオン送出装置に関する。
【背景技術】
【０００２】
従来のイオン送出装置は特許文献１に開示されている。このイオン送出装置は居室の天井壁に配される本体部を有し、本体部の下面に吸込口及び吹出口が居室に面して開口する。本体部内には吸込口及び吹出口とを連結する送風通路が設けられ、送風通路内に送風ファンが配される。また、本体部の上方には送風通路に面してイオンを発生するイオン発生装置が設けられる。イオン発生装置は電極に高電圧を印加して放電によりイオンを発生する。
【０００３】
送風ファンを駆動すると居室内の空気が吸込口から送風通路に流入する。送風通路を流通する空気にはイオン発生装置で発生したイオンが混合され、吹出口からイオンを含む空気が送出される。これにより、居室内にマイナスイオンを送出して人体内の活性酸素の低減等を図ることができる。
【０００４】
イオンを発生するイオン発生装置は高電圧が印加されるため長期間の使用によって劣化する。この時、イオン発生装置が本体部の上方に配されるため、劣化したイオン発生装置を交換する際に本体部をイオン発生装置と一体に天井から取り外す必要がある。このため、メンテナンスが困難となる問題がある。
【０００５】
上記問題を解決するために、本体部の開口面からイオン発生装置を着脱自在にしたイオン送出装置が知られている。このイオン送出装置は本体部の前面に吸込口及び吹出口を有した前面パネルが配される。本体部内にはリード線で接続したイオン発生装置を保持する保持部が設けられる。保持部は係合爪を有し、保持部に挿入したイオン発生装置の下面に係合爪が係合してイオン発生装置の落下が防止される。
【０００６】
イオン発生装置を脱着する際には、本体部を覆う前面パネルを外して作業者がイオン発生装置を手指で保持しながら係合爪をイオン発生装置の下面から脱離させる。これにより、作業者の手の中にイオン発生装置が落下してリード線を外し、イオン発生装置を交換することができる。
【先行技術文献】
【特許文献】
【０００７】
【特許文献１】特開２００４−３０９０４７号公報（第３頁−第５頁、第２図）
【発明の概要】
【発明が解決しようとする課題】
【０００８】
しかしながら、上記従来のイオン送出装置によると、イオン発生装置を脱着する際にイオン発生装置を手指で保持するのを忘れる場合がある。この時、係合爪をイオン発生装置から脱離させると、リード線が抜けてイオン発生装置が作業者の頭上に落下する危険があった。
【０００９】
本発明は、イオン発生装置の交換時の安全性を向上できるイオン送出装置を提供することを目的とする。
【課題を解決するための手段】
【００１０】
上記目的を達成するために本発明は、居室内の天井壁内に取り付けられる本体部と、前記本体部の下面を覆って吸込口及び吹出口が開口する前面パネルと、前記本体部内に設けられて前記吸込口を前記吹出口とを連通させる送風通路と、前記送風通路内に配される送風ファンと、イオンを発生する電極を有した電極部を正面に配したイオン発生装置と、前記送風通路に前記電極部を面して前記イオン発生装置を着脱自在に保持する保持部とを備え、前記送風ファンの駆動により前記吸込口から前記送風通路に流入した居室内の空気に前記電極部で発生したイオンを混合して前記吹出口から送出するイオン送出装置において、
前記保持部が、前記イオン発生装置の背面を支持する背面部と、前記背面部に沿って挿入される前記イオン発生装置の正面に摺動して挿入方向に垂直な方向に弾性変形するとともに前記イオン発生装置の下面に係合する係合爪とを有し、前記イオン発生装置の脱着時に前記係合爪が前記イオン発生装置の下面よりも浅い係合深さで係合する溝部を前記イオン発生装置の正面に設けたことを特徴としている。
【００１１】
この構成によると、送風ファンを駆動すると居室内の空気が吸込口から本体部内の送風通路に流入する。送風通路を流通する空気には電極部で発生したイオンが混合され、吹出口からイオンを含む空気が送出される。イオン発生装置は背面側が本体部に設けた保持部の背面部に沿って挿入される。この時、イオン発生装置の正面側には弾性変形した係合爪が摺動し、イオン発生装置の下面に係合爪が係合して保持部に保持される。イオン発生装置の脱着時にはイオン発生装置を手指で保持しながら係合爪をイオン発生装置の下面から脱離させる。係合爪はイオン発生装置の正面を摺動し、溝部に係合する。この時、係合爪は溝部との係合深さがイオン発生装置の下面との係合時よりも浅いため、イオン発生装置を引き出して取り外すことができる。また、イオン発生装置を手指で保持するのを忘れても係合爪が溝部に係合してイオン発生装置の落下が防止される。
【００１２】
また本発明は、上記構成のイオン送出装置において、前記イオン発生装置は、前記電極部を露出して前記電極部に導通する端子が設けられるイオン発生素子と、前記イオン発生素子を覆うとともに前記電極部に対向する孔部を開口するカバーと、前記端子にリード線を介して接続して前記カバーに保持されるとともに前記イオン発生装置を前記保持部に装着した際に前記本体部に設けた電力供給用の端子部に差し込まれるコネクタとを有し、前記コネクタを前記カバーに遊着したことを特徴としている。
【００１３】
この構成によると、イオン発生装置は保持部に挿入された際にカバーと一体のコネクタが端子部に差し込まれてイオン発生素子の電極部に電力が供給される。電極部から発生するイオンはイオン発生素子を覆うカバーの孔部を介して送風通路に放出される。コネクタはカバーに遊着され、イオン発生装置が保持部への挿入時に傾いてもコネクタを確実に端子部に差し込むことができる。
【００１４】
また本発明は、上記構成のイオン送出装置において、前記電極部が針状の放電電極と前記放電電極の周囲に配される環状の誘導電極とを有し、前記孔部の周縁が前記誘導電極よりも内側に配されることを特徴としている。この構成によると、針状の放電電極と環状の誘導電極との間にイオンが発生し、孔部を介して送風通路に放出される。孔部は周縁を誘導電極よりも内側に配して誘導電極よりも小さく形成され、放電電極及び誘導電極と手指との接触が防止される。
【００１５】
また本発明は、上記構成のイオン送出装置において、前記イオン発生装置が挿入方向に延びる案内溝を背面に有するとともに、前記保持部が前記案内溝に嵌合して前記イオン発生装置を案内する案内突起部を有することを特徴としている。この構成によると、イオン発生装置の背面に設けた案内溝に保持部の背面部に設けた案内突起部が嵌合し、イオン発生装置が背面部に沿って挿入される。
【００１６】
また本発明は、上記構成のイオン送出装置において、前記本体部内を仕切るとともに弾性変形するクリップにより前記本体部に係着されるグリルを備え、前記前面パネルが前記吸込口を中央部に開口して前記吸込口の周囲に前記吹出口を有するとともに、前記送風通路を分岐する複数の分岐通路を前記グリルによって前記本体部の周部に形成し、前記クリップは前記分岐通路間の対向する二箇所に設けられて前記前面パネル側の端部が近づく方向に傾倒することにより前記本体部との係合を解除されることを特徴としている。
【００１７】
この構成によると、本体部内にはグリルによって複数の分岐通路を有する送風通路が形成される。中央部の吸込口から送風通路に流入した空気は各分岐通路に分岐し、イオンを含んで周部の吹出口から送出される。グリルは本体部の開口面から挿入され、分岐通路間の対向する二箇所に設けた弾性変形するクリップにより係着される。クリップの下端を互いに近づくように手指で摘持するとクリップと本体部との係合が解除され、グリルを取り外すことができる。
【００１８】
また本発明は、上記構成のイオン送出装置において、前記電極部がプラスイオンを発生するプラスイオン部とマイナスイオンを発生するマイナスイオン部とを離隔して有し、前記プラスイオン部と前記マイナスイオン部とを異なる前記分岐通路に面して配置したことを特徴としている。この構成によると、グリルにより仕切られた一の分岐通路を介してマイナスイオンが送出され、他の分岐通路を介してプラスイオンが送出される。
【発明の効果】
【００１９】
本発明によると、本体部に設けた保持部がイオン発生装置の背面を支持する背面部と、イオン発生装置の正面に摺動して挿入方向に垂直な方向に弾性変形してイオン発生装置の下面に係合する係合爪とを有し、イオン発生装置の正面に係合爪が係合する溝部を設けたので、イオン発生装置を脱着する際に係合爪をイオン発生装置の下面から脱離させると係合爪が溝部に係合する。このため、イオン発生装置を手指で保持するのを忘れてもイオン発生装置の落下を防止することができ、イオン発生装置の交換時の安全性を向上することができる。
【図面の簡単な説明】
【００２０】
【図１】本発明の実施形態のイオン送出装置の取付け状態を示す斜視図
【図２】本発明の実施形態のイオン送出装置の取付け状態を示す側面断面図
【図３】本発明の実施形態のイオン送出装置の前面側から見た分解斜視図
【図４】本発明の実施形態のイオン送出装置の背面側から見た分解斜視図
【図５】本発明の実施形態のイオン送出装置の前面パネルを開いた状態を示す側面断面図
【図６】本発明の実施形態のイオン送出装置のイオン発生装置を示す分解斜視図
【発明を実施するための形態】
【００２１】
以下に本発明の実施形態を図面を参照して説明する。図１は一実施形態のイオン送出装置１の取付け状態を示す斜視図である。イオン送出装置１は居室の天井壁Ａに取り付けられ、前面を覆う前面パネル２が居室に面して配される。前面パネル２の中央部には吸込口３が開口し、吸込口３の周囲に吹出口４が設けられる。
【００２２】
図２はイオン送出装置１の側面断面図を示している。また、図３、図４はイオン送出装置１を前面から見た分解斜視図及び背面から見た分解斜視図を示している。イオン送出装置１は天井壁Ａ内に取り付けられる本体部１０を有し、本体部１０の前面の開口部が前面パネル２により覆われる。本体部１０は金属製の外ケース１０ａの内部に樹脂成形品から成る内ケース１８が取り付けられ、外ケース１０ａの開口側周縁が天井壁Ａにネジ止めされる。
【００２３】
外ケース１０ａの一端部には係合孔１０ｂを有する係合部材１０ｃが取り付けられる。前面パネル２の一端には水平移動する操作ボタン５が設けられる。操作ボタン５は前面パネル２から突出する方向に付勢される。操作ボタン５の後端には上方に突出して係合孔１０ｂを介して係合部材１０ｃに係合する断面Ｌ字状の爪部５ａが設けられる。
【００２４】
外ケース１０ａの他端部には挿通孔（不図示）を有した内ケース１８と一体の係合部材１８ａが配される。前面パネル２の他端にはＶ字状の捻りバネ６の支点部分が遊着される。捻りバネ６の先端には外側に向けて突出して巻回される係止部６ａが形成される。
【００２５】
前面パネル２は捻りバネ６の先端を閉じた状態で係合部材１８ａの挿通孔に挿通し、操作ボタン５の爪部５ａが係合部材１０ｃの係合孔１０ｂに係合して本体部１０に取り付けられる。この時、捻りバネ６は係合部材１８ａよりも上方で弾性力によって広がり、前面パネル２と本体部１０との接合状態が維持される。
【００２６】
操作ボタン５の押圧によって爪部５ａを係合孔１０ｃから脱離させて前面パネル２が引き出される。これにより、図５に示すように係止部６ａが係合部材１８ａに係止され、前面パネル２が捻りバネ６によって吊り下げられる。
【００２７】
前面パネル２は水平移動する操作部５の爪部５ａにより一端が係合して係合部材１８ａの上方で広がる捻りバネ６で他端が保持されるので、操作ボタン５の押圧によって前面パネル２を容易に開くことができる。また、前面パネル２を開いた際に捻りバネ６の長さに応じて本体部１０の開口面から離すことができる。これにより、前面パネル２が邪魔にならず本体部１０内のメンテナンスを容易に行うことができる。
【００２８】
また、操作ボタン５の爪部５ａは前面パネル２を上方に押圧して係合孔１０ｂに挿入され、係合部材１０ｃ上を摺動して係合孔１０ｂに係合する。このため、前面パネル２の上面と天井壁Ａとの間には上下方向の隙間が形成される。前面パネル２の周面２ａの上端には面取り２ｂが施される。面取り２ｂによって前面パネル２の周囲の天井壁Ａに影を形成し、前面パネル２と天井壁Ａとの隙間を目立たなくすることができる。従って、イオン送出装置１の美感を向上することができる。
【００２９】
尚、係合部材１０ｃと摺接する爪部５ａの摺接面を傾斜面にしてもよい。これにより、係合孔１０ｂに挿入された爪部５ａが水平方向に付勢されると傾斜面から成る摺接面が係合孔１０ｂの端縁と摺接して前面パネル２を上方に引き上げる。これにより、前面パネル２と天井壁Ａとの隙間をなくしてイオン送出装置１の美感を向上することができる。
【００３０】
内ケース１８は吸込口３と吹出口４とを連結する送風通路１２の上部を形成し、送風通路１２内に送風ファン１１を保持する。送風ファン１１は軸流ファンから成り、吸気側を吸込口３に面して配される。送風通路１２は送風ファン１１の背面の排気側から送風ファン１１の周囲を通って吹出口４まで延びて形成される。
【００３１】
内ケース１８の前面には樹脂成形品から成るグリル３０が配される。グリル３０には吸込口３及び吹出口４に対向する開口部３３、３４が設けられる。グリル３０の上面には仕切リブ３０ａが突設される。仕切リブ３０ａによって送風通路１２の下部が形成される。また、仕切リブ３０ａは送風ファン１１の排気側の送風通路１２を分岐する複数の分岐通路１２ａを本体部１０の周部に形成する。本実施形態では４つの分岐通路１２ａが形成される。
【００３２】
グリル３０は送風ファン１１の外側で分岐通路１２ａ間の対向する二箇所にクリップ３７が突設される。クリップ３７は弾性変形して内ケース１８に突設した突出リブ１７に係合し、グリル３０が本体部１０に保持される。クリップ３７の先端が弾性によって互いに近づく方向に傾倒すると、クリップ３７と突出リブ１７との係合が解除される。これにより、クリップ３７の先端を手指で摘持してグリル３０を本体部１０から取り外すことができ、本体部１０内のメンテナンスを容易に行うことができる。
【００３３】
内ケース１８には送風通路１２に面して２つのイオン発生装置２０を保持する保持部１３が対向する二箇所に設けられる。保持部１３はイオン発生装置２０の背面を支持する背面部１３ａとイオン発生装置２０の正面側に配されて下面に係合する係合爪１３ｂとを有している。背面部１３ａに沿ってイオン発生装置２０を挿入すると、係合爪１３ｂが挿入方向に垂直な方向に弾性変形してイオン発生装置２０の下面に係合する。これにより、イオン発生装置２０が落下を防止して保持される。
【００３４】
図６はイオン発生装置２０の分解斜視図を示している。イオン発生装置２０はイオン発生素子２４の正面側と背面側とをそれぞれカバー２１、２２により覆って形成される。カバー２１、２２はそれぞれ周面に設けた係合孔２１ｃと係合突起２２ｃとの係合により接合される。
【００３５】
イオン発生素子２４はイオンを発生する電極部２５、２６を有している。正面側のカバー２１には電極部２５、２６に対向する孔部２１ｄ、２１ｅが設けられる。電極部２５、２６は所定距離だけ離隔して設けられ、それぞれ針状の放電電極２５ａ、２６ａと放電電極２５ａ、２６ａの周囲に配される環状の誘導電極２５ｂ、２６ｂとを有している。
【００３６】
放電電極２５ａには誘導電極２５ｂに対して正極性の高電圧が印加され、放電電極２６ａには誘導電極２６ｂに対して負極性の高電圧がそれぞれ印加される。これにより、放電電極２５ａと誘導電極２５ｂとの間にはコロナ放電により主に空気中の水分が電離してＨ+イオンが発生する。また、放電電極２６ａと誘導電極２６ｂとの間にはコロナ放電により主に空気中の酸素が電離してＯ2-イオンが発生する。
【００３７】
電極部２５から電離により発生したＨ+イオンは空気中の水分と結合してＨ+（Ｈ2Ｏ）ｍから成る電荷が正のクラスタイオンを形成する。電極部２６から電離により発生するＯ2-イオンは空気中の水分と結合してＯ2-（Ｈ2Ｏ）ｎから成る電荷が負のクラスタイオンを形成する。ここで、ｍ、ｎは任意の自然数である。従って、電極部２５はプラスイオンを発生するプラスイオン部を構成し、電極部２６はマイナスイオンを発生するマイナスイオン部を構成する。
【００３８】
Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、主としてＨ+（Ｈ2Ｏ）ｍから成るプラスイオンと主としてＯ2-（Ｈ2Ｏ）ｎから成るマイナスイオンとを発生して吹出口４から送出することにより室内の殺菌及び臭い除去を行うことができる。
【００３９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４０】
尚、カバー２１の孔部２１ｄ、２１ｅの内縁は環状の誘導電極２５ｂ、２６ｂよりも内側に配され、孔部２１ｄ、２１ｅが誘導電極２５ｂ、２６ｂよりも小さく形成される。これにより、イオン発生装置２０を把持した際に放電電極２５ａ、２６ａ及び誘導電極２５ｂ、２６ｂと手指との接触が防止される。従って、各電極に異物が付着することによるイオン発生素子２４の劣化を防止することができる。
【００４１】
また、イオン発生素子２４は放電電極２５ａ、２６ａ及び環状の誘導電極２５ｂ、２６ｂを有しているが、他の構成であってもよい。例えば、誘導電極を省いてもよく、平面状の放電電極を設けてもよい。
【００４２】
プラスイオンを発生する電極部２５（プラスイオン部）とマイナスイオンを発生する電極部２６（マイナスイオン部）とは隣接した異なる分岐通路１２ａにそれぞれ面して配される。これにより、プラスイオンとマイナスイオンとの衝突による消滅を低減して吹出口４から送出されるイオンの減少を防止することができる。
【００４３】
また、本体部１０の一方の対角上に２つのイオン発生装置２０の電極部２５が対向配置され、他方の対角上に２つのイオン発生装置２０の電極部２６が対向配置される。これにより、イオン送出装置１からプラスイオン及びマイナスイオンをそれぞれ分散して送出し、居室内の殺菌や脱臭を均一に行うことができる。
【００４４】
イオン発生素子２４の上部には電極部２５、２６に導通する端子２４ａが設けられる。端子２４ａにはカバー２１、２２内に配されるリード線２７を介してコネクタ２３が接続される。
【００４５】
コネクタ２３には二箇所に柱状部２３ｂが突設され、柱状部２３ｂの周面に環状の溝部２３ａが形成される。カバー２１、２２の支持部２１ａ、２２ａには溝部２３ａに嵌合するＵ字状の切欠き部２１ｂ、２２ｂ（２１ｂは不図示）が形成される。コネクタ２３の溝部２３ａを支持部２１ａ、２２ａの切欠き部２１ｂ、２２ｂで挟持し、コネクタ２３が先端を突出してカバー２１、２２に保持される。この時、溝部２３ａと切欠き部２１ｂ、２２ｂとの間には径方向の隙間が形成され、コネクタ２３が正面側と背面側との間を傾倒可能なように遊着される。
【００４６】
イオン発生装置２０は保持部１３の背面部１３ａに沿って挿入された際にコネクタ２３が本体部１０に設けた電源供給用の端子部１９（図２参照）に差し込まれる。この時、コネクタ２３がカバー２１、２２に遊着されるため、イオン発生装置２０が保持部１３への挿入時に傾いてもコネクタ２３を確実に端子部１９に差し込むことができる。
【００４７】
また、背面側のカバー２２には保持部１３への挿入方向に延びる案内溝２２ｄ（図４参照）が形成される。保持部１３の背面部１３ａには案内溝２２ｄに嵌合する案内突起部１３ｃ（図３参照）が設けられる。案内突起部１３ｃの案内によってイオン発生装置２０の背面部１３ａに沿う方向の傾きを低減してイオン発生装置２０を容易に背面部１３ａに沿って挿入することができる。従って、コネクタ２３をより確実に端子部１９に差し込むことができる。
【００４８】
正面側のカバー２１の表面には溝部２１ｆが凹設される。溝部２１ｆはイオン発生装置２０を保持部１３に挿入する際に係合爪１３ｂ（図２参照）が摺動する軌跡上に設けられる。イオン発生装置２０の下面に係合する係合爪１３ｂを脱離させてイオン発生装置２０を取り出す際に係合爪１３ｂはカバー２１上を摺動して溝部２１ｆに係合する。
【００４９】
この時、溝部２１ｆはケース２１の表面に凹設されるため係合爪１３ｂがイオン発生装置２０の下面よりも浅い係合深さで溝部２１ｆに係合する。また、溝部２１ｆの内周面は平面または曲面の傾斜面に形成される。これにより、係合爪１３ｂが溝部２１ｆに係合した状態からイオン発生装置２０を更に引き出して取り外すことができる。
【００５０】
上記構成のイオン送出装置１において、送風ファン１１が駆動されると居室内の空気が吸込口３から送風通路１２に流入する。送風通路１２に流入した空気は送風ファン１１の排気側で複数の分岐通路１２ａに分岐する。各分岐通路１２ａを流通する空気にはイオン発生装置２０で発生したプラスイオン及びマイナスイオンが混合される。そして、前面パネル２の周部に設けた吹出口４からイオンを含む空気が送出される。これにより、居室内の殺菌及び脱臭を行うことができる。
【００５１】
イオン発生装置２０の駆動時間が所定時間を経過すると、使用者にイオン発生装置２０の交換を促すようにリモートコントローラ上の表示等により報知される。作業者は操作ボタン５を押圧して爪部５ａと係合部材１０ｃとの係合を解除し、捻りバネ６を支点に回動する前面パネル２を引き出す。これにより、捻りバネ６の係止部６ａが係合部材１８ａに係止され、前面パネル２が吊り下げられる。
【００５２】
次に、グリル３０の両クリップ３７を手指で摘持してクリップ３７と突出リブ１７との係合を解除し、グリル３０を取り外す。次に、作業者がイオン発生装置２０を手指で保持しながら係合爪１３ｂをイオン発生装置２０の下面から脱離させる。イオン発生装置２０を引き出すとコネクタ２３が端子部１９から外れ、係合爪１３ａがイオン発生装置２０の正面側のカバー２１上を摺動して溝部２１ｆに係合する。更にイオン発生装置２０を引き出すことによりイオン発生装置２０が取り外される。これにより、イオン発生装置２０を交換することができる。
【００５３】
作業者がイオン発生装置２０を手指で保持するのを忘れてイオン発生装置２０の下面から係合爪１３ｂを脱離させた際に、カバー２１、２２に保持されたコネクタ２３と端子部１９との摩擦力によってイオン発生装置２０の落下が防止される。また、コネクタ２３が端子部１９から外れても係合爪１３ｂが溝部２１ｆに係合してイオン発生装置２０の落下が防止される。
【００５４】
本実施形態によると、本体部１０の保持部１３がイオン発生装置２０の背面を支持する背面部１３ａと、イオン発生装置２０の正面に摺動して挿入方向に垂直な方向に弾性変形するとともにイオン発生装置２０の下面に係合する係合爪１３ｂとを有し、イオン発生装置２０の正面に係合爪１３ａが係合する溝部２１ｆを設けたので、イオン発生装置２０を脱着する際に係合爪１３ａをイオン発生装置２０の下面から脱離させると係合爪１３ｂが溝部２１ｆに係合する。このため、イオン発生装置２０を手指で保持するのを忘れてもイオン発生装置２０の落下を防止することができ、イオン発生装置２０の交換時の安全性を向上することができる。
【００５５】
この時、係合爪１３ｂがイオン発生装置２０の下面よりも浅い係合深さで溝部２１ｆに係合するため、係合爪１３ｂを摘持して溝部２１ｆから離す必要がなくイオン発生装置２０を引き出して係合爪１３ｂと溝部２１ｆとの係合を解除することができる。従って、作業性の低下を防止することができる。
【００５６】
また、イオン発生素子２４をカバー２１、２２で覆い、端子２４ａにリード線２７を介して接続されるコネクタ２３をカバー２２、２２に遊着して保持したので、イオン発生装置２０が保持部１３への挿入時に傾いてもコネクタ２３を確実に端子部１９に差し込むことができる。従って、イオン発生装置２０を容易に交換することができる。
【００５７】
また、カバー２１の孔部２１ｄ、２１ｅの周縁を誘導電極２５ｂ、２６ｂよりも内側に配したので、放電電極２５ａ、２６ａ及び誘導電極２５ｂ、２６ｂと手指との接触を防止することができる。従って、イオン発生装置２０の性能劣化を防止することができる。
【００５８】
また、イオン発生装置２０の背面に案内溝２２ｄを形成し、案内溝２２ｄに嵌合してイオン発生装置２０を案内する案内突起部１３ｃを保持部１３に設けたので、イオン発生装置２０の背面部１３ａに沿う方向の傾きを低減して確実に装着することができる。
【００５９】
また、本体部１０の周部に複数の分岐通路１２ａを形成するグリル３０を分岐通路１２ａ間の対向する二箇所に設けたクリップ３７により係脱するので、クリップ３７を手指で摘持してグリル３０を容易に着脱することができる。従って、イオン発生装置２０を容易に交換することができる。
【００６０】
また、プラスイオンを発生する電極部２５（プラスイオン部）とマイナスイオンを発生する電極部２６（マイナスイオン部）とを離隔し、電極部２５、２６を異なる分岐通路１２ａに面して配置したので、プラスイオンとマイナスイオンとの衝突による消滅を低減して吹出口４から送出されるイオンの減少を防止することができる。従って、居室内の殺菌効果や脱臭効果をより向上することができる。
【００６１】
本実施形態において、イオン発生装置２０の電極部２５、２６の両方からマイナスイオンを放出してもよい。これにより、リラクゼーション効果や人体内の活性酸素の低減等を図ることができる。
【産業上の利用可能性】
【００６２】
本発明によると、居室内にイオンを送出するイオン送出装置に利用することができる。
【符号の説明】
【００６３】
１    イオン送出装置
２    前面パネル
２ｂ  面取り
３    吸込口
４    吹出口
５    操作ボタン
５ａ  爪部
６    捻りバネ
１０    本体部
１０ａ  外ケース
１０ｃ  係合部材
１１    送風ファン
１２    送風通路
１２ａ  分岐通路
１３    保持部
１３ａ  背面部
１３ｂ  係合爪
１３ｃ  案内突起部
１７    突出リブ
１８    内ケース
１８ａ  係合部材
１９    端子部
２０    イオン発生装置
２１、２２  カバー
２１ａ、２２ａ  支持部
２１ｄ、２１ｅ  孔部
２１ｆ  溝部
２２ｂ  切欠き部
２２ｄ  案内溝
２３    コネクタ
２４    イオン発生素子
２４ａ  端子
２５、２６  電極部
２５ａ、２６ａ  放電電極
２５ｂ、２６ｂ  誘電電極
２７    リード線
３０    グリル
３３、３４  開口部
３７    クリップ
【図１】
2011019547.tif 000003
【図２】
2011019547.tif 000004
【図３】
2011019547.tif 000005
【図４】
2011019547.tif 000006
【図５】
2011019547.tif 000007
【図６】
2011019547.tif 000008